【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
システムであって、
接続サーバアプリケーションを有する少なくとも１つのサーバコンピュータを含むモノのインターネット（ＩｏＴ）技術プラットホーム、ここで、前記モノのインターネット（ＩｏＴ）技術プラットホームは、現実世界溶接環境の一部として実装されるように、前記現実世界溶接環境内の複数の異種装置間のスケーラブルで、相互運用可能で、セキュアな無線通信接続を提供するように、前記現実世界溶接環境内の前記複数の異種装置のプロトコル非依存配備を可能にするように構成されている、モノのインターネット（ＩｏＴ）技術プラットホームと、
前記接続サーバアプリケーションを使用する、前記モノのインターネット（ＩｏＴ）技術プラットホームと双方向無線通信するように構成された前記複数の異種装置の少なくとも１つである、少なくとも１つの溶接電源と、
前記複数の異種装置の少なくとも１つである、少なくとも１つのコンピュータ化アイウェア装置であって、
前記接続サーバアプリケーションを使用する、前記モノのインターネット（ＩｏＴ）技術プラットホームを介し前記少なくとも１つの溶接電源と双方向無線通信するように構成された、プロセッサとメモリとを有する制御および通信回路系と、
ユーザが透明ディスプレイを通して前記現実世界溶接環境の周辺部を視認できるようにする一方で、前記接続サーバアプリケーションを使用する、前記モノのインターネット（ＩｏＴ）技術プラットホームを介し前記少なくとも１つの溶接電源から前記制御および通信回路系によって受信された情報を表示するように構成された前記透明ディスプレイと、
を含む少なくとも１つのコンピュータ化アイウェア装置と、
を含むシステム。
【請求項２】
前記モノのインターネット（ＩｏＴ）技術プラットホームは、ウェブソケットを介し前記複数の異種装置間の前記スケーラブルで、相互運用可能で、セキュアな通信接続を提供するように構成される、請求項１に記載のシステム。
【請求項３】
前記モノのインターネット（ＩｏＴ）技術プラットホームは前記複数の異種装置間のメッセージ経路指定および変換を取り扱うように構成される、請求項１に記載のシステム。
【請求項４】
前記モノのインターネット（ＩｏＴ）技術プラットホームは、開発者が前記複数の異種装置のいずれかを制御して、それへおよびそれからのデータを報告するアプリケーションを構築し、実行し、発展することができるように構成される、請求項１に記載のシステム。
【請求項５】
前記透明ディスプレイにより表示される前記情報はテキスト、グラフィック、画像または動画のうちの少なくとも１つの形式である、請求項１に記載のシステム。
【請求項６】
前記透明ディスプレイにより表示される前記情報は前記モノのインターネット（ＩｏＴ）技術プラットホームを介し前記少なくとも１つの溶接電源から受信された少なくとも１つの溶接パラメータを含む、請求項１に記載のシステム。
【請求項７】
前記少なくとも１つのコンピュータ化アイウェア装置は、前記制御および通信回路系へ作動可能に接続され、前記ユーザから音声起動ユーザ命令情報を受信するように、前記モノのインターネット（ＩｏＴ）技術プラットホームを介し前記音声起動ユーザ命令情報を前記少なくとも１つの溶接電源へ伝達するように構成されたマイクロホンを含む、請求項１に記載のシステム。
【請求項８】
前記少なくとも１つのコンピュータ化アイウェア装置は、前記制御および通信回路系へ作動可能に接続され、前記ユーザの観点から溶接作業中に前記現実世界溶接環境の少なくとも１つの静止画像または動画を捕捉するように、前記少なくとも１つの静止画像または動画を記録および記憶のために前記モノのインターネット（ＩｏＴ）技術プラットホームへ伝達するように構成されたカメラを含む、請求項１に記載のシステム。
【請求項９】
前記少なくとも１つのコンピュータ化アイウェア装置は、前記制御および通信回路系へ作動可能に接続され、ユーザが命令情報を選択することができるように、前記少なくとも１つの溶接電源を制御するために前記モノのインターネット（ＩｏＴ）技術プラットホームを介し前記少なくとも１つの溶接電源へ前記命令情報を提供することができるように構成された接触感知ユーザインターフェースを含む、請求項１に記載のシステム。
【請求項１０】
前記少なくとも１つの溶接電源はガス金属アーク溶接（ＧＭＡＷ）動作、ガスタングステンアーク溶接（ＧＴＡＷ）動作または被覆アーク溶接（ＳＭＡＷ）動作のうちの少なくとも１つを支援するインバータベース溶接電源である、請求項１に記載のシステム。
【請求項１１】
異種無線通信能力を有する現実世界溶接環境内の複数の異種装置と、
接続サーバアプリケーションを有する少なくとも１つのサーバコンピュータを含むモノのインターネット（ＩｏＴ）技術プラットホームと、
を含むシステムであって、
ここで、前記モノのインターネット（ＩｏＴ）技術プラットホームは、前記複数の異種装置間のスケーラブルで、相互運用可能で、セキュアな無線通信接続を提供するように、前記現実世界溶接環境内の前記複数の異種装置のプロトコル非依存配備を可能にするように構成され、
ここで、前記複数の異種装置は、前記接続サーバアプリケーションを使用して前記モノのインターネット（ＩｏＴ）技術プラットホームと双方向無線通信するように構成された少なくとも１つの溶接電源を含み、
ここで、前記複数の異種装置は少なくとも１つのコンピュータ化アイウェア装置を含み、前記少なくとも１つのコンピュータ化アイウェア装置は、
前記接続サーバアプリケーションを使用する、前記モノのインターネット（ＩｏＴ）技術プラットホームを介し前記少なくとも１つの溶接電源と双方向無線通信するように構成されたプロセッサとメモリとを有する制御および通信回路系と、
ユーザが後記透明ディスプレイを通して前記現実世界溶接環境の周辺部を視認できるようにする一方で、前記接続サーバアプリケーションを使用する、前記モノのインターネット（ＩｏＴ）技術プラットホームを介し前記少なくとも１つの溶接電源から前記制御および通信回路系によって受信された情報を表示するように構成された透明ディスプレイと、
を含む、システム。
【請求項１２】
前記少なくとも１つのコンピュータ化アイウェア装置は少なくとも前記透明ディスプレイを介し拡張現実能力を提供するように構成される、請求項１１に記載のシステム。
【請求項１３】
前記複数の異種装置は少なくとも１つの溶接ワイヤフィーダを含む、請求項１１に記載のシステム。
【請求項１４】
前記複数の異種装置は少なくとも１つの溶接ガンまたはトーチを含む、請求項１１に記載のシステム。
【請求項１５】
前記複数の異種装置は少なくとも１つの遮蔽ガスタンクへ作動可能に接続された少なくとも１つのガスメータを含む、請求項１１に記載のシステム。
【請求項１６】
前記複数の異種装置は少なくとも１つのモバイルフォン装置を含む、請求項１１に記載のシステム。
【請求項１７】
前記複数の異種装置は少なくとも１つの溶接ヘルメットを含む、請求項１１に記載のシステム。
【請求項１８】
前記複数の異種装置は少なくとも１つの溶接ヒューム排出機を含む、請求項１１に記載のシステム。
【請求項１９】
前記複数の異種装置のうちの少なくとも１つは、前記複数の異種装置のうちの前記少なくとも１つに関連する少なくとも１つのパラメータを感知するように、前記接続サーバアプリケーションを使用して前記少なくとも１つのパラメータを前記モノのインターネット（ＩｏＴ）技術プラットホームへ伝達するように構成された少なくとも１つのセンサを含む、請求項１１に記載のシステム。
【請求項２０】
前記少なくとも１つのパラメータは、温度パラメータ、圧力パラメータ、湿度パラメータ、電圧パラメータ、電流パラメータ、ワイヤ送り速度パラメータ、流量パラメータ、空間位置パラメータ、空間的配向パラメータまたは移動速度パラメータのうちの少なくとも１つを含む、請求項１９に記載のシステム。